【手続補正書】
【提出日】平成28年9月21日(2016.9.21)
【手続補正１】
【補正対象書類名】特許請求の範囲
【補正対象項目名】全文
【補正方法】変更
【補正の内容】
【特許請求の範囲】
【請求項１】
設定情報に従って動作する情報処理装置であって、
第１のユーザ及び第２のユーザを認証する認証手段と、
前記第１のユーザ及び前記第２のユーザのそれぞれに対応付けられた第１の設定情報であって、前記認証手段による認証後に使用される第１の設定情報と、前記第１のユーザ及び前記第２のユーザのそれぞれに対応付けられた第２の設定情報であって、前記認証手段による認証後の前記第１の設定情報が使用された後に使用される第２の設定情報と、を格納する第１の記憶手段と、
前記第１の記憶手段とは異なる第２の記憶手段と、
前記第１のユーザ及び前記第２のユーザが前記認証手段によって認証される前に、前記第１のユーザに対応付けられた前記第１の設定情報と前記第２のユーザに対応付けられた前記第１の設定情報の両方を前記第１の記憶手段から取得して前記第２の記憶手段に格納し、
前記第１のユーザ及び前記第２のユーザのうちの一人が前記認証手段によって認証されたあとに、認証されたユーザに対応付けられた前記第１の設定情報を前記第２の記憶手段から取得し、
前記第１のユーザ及び前記第２のユーザのうちの一人が前記認証手段によって認証されたあとに、認証されたユーザに対応付けられた前記第２の設定情報を前記第１の記憶手段から取得して前記第２の記憶手段に格納する記憶制御手段と、を有することを特徴とする情報処理装置。
【請求項２】
前記第１の設定情報は、前記第１のユーザ及び前記第２のユーザのそれぞれが前記前記認証手段によって認証された後に表示されるべき画面のために使用される設定情報であることを特徴とする請求項１に記載の情報処理装置。
【請求項３】
前記認証手段によって認証されたユーザに対応付けられた前記第１の設定情報に基づいて、前記画面を表示する表示手段を有することを特徴とする請求項２に記載の情報処理装置。
【請求項４】
前記記憶制御手段は、前記第１の記憶手段から取得した前記第２の設定情報を前記第２の記憶手段に格納することを特徴とする請求項１乃至３のいずれか１項に記載の情報処理装置。
【請求項５】
前記第２の設定情報は、前記情報処理装置によって提供される機能で使用される設定情報であり、
前記記憶制御手段は、前記認証手段によって認証されたユーザが前記機能を利用する場合に、当該ユーザに対応付けられた前記第２の設定情報を前記第２の記憶手段から取得することを特徴とする請求項４に記載の情報処理装置。
【請求項６】
前記情報処理装置によって提供される複数の機能の順位を設定する第１の設定手段を有し、
前記第２の設定情報は、前記情報処理装置によって提供される前記複数の機能のそれぞれのために使用される設定情報であり、
前記記憶制御手段は、前記順位に従って、前記複数の機能のそれぞれに対応する前記第２の設定情報を前記第１の記憶手段から取得して、前記第２の記憶手段に格納することを特徴とする請求項４に記載の情報処理装置。
【請求項７】
前記第２の設定情報は、前記情報処理装置によって提供される複数の機能のそれぞれのために使用される設定情報であり、
前記表示手段は、前記複数の機能のうちの一つに対応する画面を表示し、
前記記憶制御手段は、前記表示手段によって表示されるべき画面に対応する機能で使用される前記第２の設定情報を前記第１の記憶手段から取得して、前記第２の記憶手段に格納することを特徴とする請求項３に記載の情報処理装置。
【請求項８】
前記第２の設定情報を前記第２の記憶手段に格納しない条件を設定する第２の設定手段と、
前記記憶制御手段は、前記条件を満たす前記第２の設定情報を、前記第１の記憶手段から取得しないことを特徴とする請求項１乃至７のいずれか１項に記載の情報処理装置。
【請求項９】
前記認証手段によって認証されたユーザに対応付けられた前記第２の設定情報は、前記認証手段が次のユーザを認証するまで、前記第２の記憶手段に格納され、
前記情報処理装置はさらに、
次のユーザが前記認証手段によって認証された場合、当該次のユーザと前記認証手段によって前回に認証されたユーザとが同一であるかを判断する判断手段を有し、
前記記憶制御手段は、前記次のユーザと前記認証手段によって前回に認証されたユーザとが同一である場合、前記次のユーザに対応付けられた前記第２の設定情報を前記第１の記憶手段から取得しないことを特徴とする請求項１乃至８のいずれか１項に記載の情報処理装置。
【請求項１０】
前記第２の記憶手段のアクセス速度は前記第１の記憶手段のアクセス速度よりも速いことを特徴とする請求項１乃至９のいずれか１項に記載の情報処理装置。
【請求項１１】
前記第１の記憶手段はハードディスクであり、前記第２の記憶手段はＲＡＭであることを特徴とする請求項１乃至１０のいずれか１項に記載の情報処理装置。
【請求項１２】
第１のユーザ及び第２のユーザを認証する認証手段と、前記第１のユーザ及び前記第２のユーザのそれぞれに対応付けられた第１の設定情報であって、前記認証手段による認証後に使用される第１の設定情報と、前記第１のユーザ及び前記第２のユーザのそれぞれに対応付けられた第２の設定情報であって、前記認証手段による認証後の前記第１の設定情報が使用された後に使用される第２の設定情報と、を格納する第１の記憶手段と、前記第１の記憶手段とは異なる第２の記憶手段と、を有する情報処理装置における情報処理方法であって、
前記第１のユーザ及び前記第２のユーザが認証される前に、前記第１のユーザに対応付けられた前記第１の設定情報と前記第２のユーザに対応付けられた前記第１の設定情報の両方を前記第１の記憶手段から取得する第１の取得ステップと、  前記第１のユーザ及び前記第２のユーザのうちの一人が認証される前に、前記第１の取得ステップで取得された前記第１の設定情報を、前記第２の記憶装置に格納する第１の格納ステップと、
前記第１のユーザ及び前記第２のユーザのうちの一人が認証されたあとに、認証されたユーザに対応付けられた前記第１の設定情報を前記第２の記憶装置から取得する第２の取得ステップと、
前記第１のユーザ及び前記第２のユーザのうちの一人が認証されたあとに、認証されたユーザに対応付けられた前記第２の設定情報を前記第１の記憶装置から取得する第３の取得ステップと、
前記第１のユーザ及び前記第２のユーザのうちの一人が認証されたあとに、前記第３の取得ステップで取得された前記第２の設定情報を前記第２の記憶手段に格納する第２の格納ステップと、
を有することを特徴とする情報処理方法。
【請求項１３】
コンピュータを、請求項１乃至１１のいずれか１項に記載の情報処理装置として動作させるためのプログラム。
【手続補正２】
【補正対象書類名】明細書
【補正対象項目名】０００８
【補正方法】変更
【補正の内容】
【０００８】
本発明に係る情報処理装置は、設定情報に従って動作する情報処理装置であって、  前記第１のユーザ及び前記第２のユーザを認証する認証手段と、第１のユーザ及び第２のユーザのそれぞれに対応付けられた第１の設定情報であって、前記認証手段により認証後に使用される第１の設定情報と、前記第１のユーザ及び前記第２のユーザのそれぞれに対応付けられた第２の設定情報であって、前記認証手段により認証後の前記第１の設定情報が使用された後に使用される第２の設定情報と、を格納する第１の記憶手段と、前記第１の記憶手段とは異なる第２の記憶手段と、前記第１のユーザ及び前記第２のユーザが前記認証手段によって認証される前に、前記第１のユーザに対応付けられた前記第１の設定情報と前記第２のユーザに対応付けられた前記第１の設定情報の両方を前記第１の記憶手段から取得して前記第２の記憶手段に格納し、前記第１のユーザ及び前記第２のユーザのうちの一人が前記認証手段によって認証されたあとに、認証されたユーザに対応付けられた前記第１の設定情報を前記第２の記憶手段から取得し、前記第１のユーザ及び前記第２のユーザのうちの一人が前記認証手段によって認証されたあとに、認証されたユーザに対応付けられた前記第２の設定情報を前記第１の記憶手段から取得して前記第２の記憶手段に格納する記憶制御手段と、を有することを特徴とする。
【手続補正３】
【補正対象書類名】明細書
【補正対象項目名】０００９
【補正方法】変更
【補正の内容】
【０００９】
また、本発明に係る情報処理方法は、第１のユーザ及び第２のユーザを認証する認証手段と、前記第１のユーザ及び前記第２のユーザのそれぞれに対応付けられた第１の設定情報であって、前記認証手段による認証後に使用される第１の設定情報と、前記第１のユーザ及び前記第２のユーザのそれぞれに対応付けられた第２の設定情報であって、前記認証手段による認証後の前記第１の設定情報が使用された後に使用される第２の設定情報と、を格納する第１の記憶手段と、前記第１の記憶手段とは異なる第２の記憶手段と、を有する情報処理装置おける情報処理方法であって、第１のユーザ及び第２のユーザを認証する認証ステップと、前記第１のユーザ及び前記第２のユーザが認証される前に、前記第１のユーザに対応付けられた前記第１の設定情報と前記第２のユーザに対応付けられた前記第１の設定情報の両方を前記第１の記憶手段から取得する第１の取得ステップと、前記第１のユーザ及び前記第２のユーザのうちの一人が認証される前に、前記第１の取得ステップで取得された前記第１の設定情報を、前記第２の記憶装置に格納する第１の格納ステップと、前記第１のユーザ及び前記第２のユーザのうちの一人が認証されたあとに、認証されたユーザに対応付けられた前記第１の設定情報を前記第２の記憶装置から取得する第２の取得ステップと、前記第１のユーザ及び前記第２のユーザのうちの一人が認証されたあとに、認証されたユーザに対応付けられた前記第２の設定情報を前記第１の記憶装置から取得する第３の取得ステップと、前記第１のユーザ及び前記第２のユーザのうちの一人が認証されたあとに、前記第３の取得ステップで取得された前記第２の設定情報を前記第２の記憶手段に格納する第２の格納ステップと、を有することを特徴とする。
【手続補正４】
【補正対象書類名】明細書
【補正対象項目名】００１０
【補正方法】削除
【補正の内容】